(57)【要約】【課題】前胴回り域における吸収面積を確保し、漏れを抑制できる吸収性物品を提供する。【解決手段】吸収性物品は、股下域（Ｓ３）、前胴回り域（Ｓ１）及び後胴回り域（Ｓ２）に跨がって配置された吸収性本体（４０）と、吸収性本体の非肌面側において、少なくとも前胴回り域及び後胴回り域に配置された外装体（１５）と、を有する。後胴回り域の前端部には、吸収性本体の外側部と外装体が接合されていない後非接合領域（ＮＲ）が設けられ、前胴回り域の後端部には、吸収性本体の外側部と外装体が接合された前接合領域（ＦＡ）が設けられている。【選択図】図１
2019118472.tif 000002
【特許請求の範囲】
【請求項１】
前後方向と、
前記前後方向に直交する幅方向と、
前胴回り域と、
後胴回り域と、
前記前胴回り域と前記後胴回り域との間に配置された股下域と、
前記股下域、前記前胴回り域及び前記後胴回り域に跨がって配置された吸収性本体と、
前記吸収性本体の非肌面側において、少なくとも前記前胴回り域及び前記後胴回り域に配置された外装体と、を有する吸収性物品であって、
前記後胴回り域の前端部には、前記吸収性本体の外側部と前記外装体が接合されていない後非接合領域が設けられ、
前記前胴回り域の後端部には、前記吸収性本体の外側部と前記外装体が接合された前接合領域が設けられている、吸収性物品。
【請求項２】
前記後非接合領域には、前記幅方向に伸縮可能な第１幅弾性部材が配置されている、請求項１に記載の吸収性物品。
【請求項３】
前記後非接合領域は、前記後胴回り域の前端縁から後方に向かって延びており、
前記後非接合領域の前記前後方向の長さは、５ｍｍ以上２０ｍｍ以下である、請求項１又は請求項２に記載の吸収性物品。
【請求項４】
前記吸収性物品は、前記前胴回り域の外側部と前記後胴回り域の外側部を接合するサイド接合部を更に備えており、
前記後非接合領域の前記前後方向の範囲は、前記サイド接合部の前記股下域側の端縁から後方に向かって前記サイド接合部の前後方向全域に対する３０％までの範囲である、請求項１から請求項３のいずれか１項に記載の吸収性物品。
【請求項５】
前記吸収性本体は、吸収コアを有しており、
前記後非接合領域よりも前記幅方向の内側には、前記吸収性本体と前記外装体が接合された第１後接合領域が設けられており、
前記後非接合領域と前記第１後接合領域の境界は、前記吸収コアの外側縁よりも前記幅方向の外側に位置している、請求項１から請求項４のいずれか１項に記載の吸収性物品。
【請求項６】
前記後非接合領域よりも後側には、前記吸収性本体と前記外装体が接合された第２後接合領域が設けられている、請求項１から請求項５のいずれか１項に記載の吸収性物品。
易い。
【請求項７】
前記後胴回り域の前記外装体は、前記幅方向に伸縮可能であり、
前記第２後接合領域の前記幅方向の長さは、前記後非接合領域の前記幅方向の長さよりも長い、請求項６に記載の吸収性物品。
【請求項８】
前記後胴回り域の前記外装体は、前記幅方向に伸縮可能であり、
前記吸収性本体は、前記吸収性本体の外側部に配置され、かつ前記前後方向に伸縮可能な前後弾性部材を有し、
前記前後弾性部材の有効長部分は、前記第２後接合領域に厚さ方向に重なっている、請求項６又は請求項７に記載の吸収性物品。
【請求項９】
前記前後弾性部材の有効長部分と前記第２後接合領域が重なった領域には、前記幅方向に伸縮可能な第２幅弾性部材が配置されている、請求項８に記載の吸収性物品。
【請求項１０】
前記前胴回り域の前記外装体は、前記幅方向に伸縮可能であり、
前記吸収性本体は、前記吸収性本体の外側部に配置され、かつ前記前後方向に伸縮可能な前後弾性部材を有し、
前記前後弾性部材の有効長部分は、前記前接合領域に厚さ方向に重なっている、請求項１から請求項９のいずれか１項に記載の吸収性物品。
【請求項１１】
前記前後弾性部材の有効長部分と前記前接合領域が重なった領域には、前記幅方向に伸縮可能な第３幅弾性部材が配置されている、請求項１０に記載の吸収性物品。
【請求項１２】
前記後胴回り域の前端縁における前記吸収性本体の前記幅方向の長さは、前記前胴回り域の後端縁における前記吸収性本体の前記幅方向の長さよりも長い、請求項１から請求項１１のいずれか１項に記載の吸収性物品。
【請求項１３】
前記吸収性物品は、前記前胴回り域の外側部と前記後胴回り域の外側部を接合するサイド接合部を更に備えており、
前記後胴回り域には、前記サイド接合部よりも前記股下域側に延出した臀部カバーが設けられている、請求項１から請求項１２のいずれか１項に記載の吸収性物品。
【発明の詳細な説明】
【技術分野】
【０００１】
本発明は、使い捨ておむつ等の吸収性物品に関する。
【背景技術】
【０００２】
特許文献１に記載された使い捨ておむつは、前胴回り域及び後胴回り域に配置された外装体と、外装体の肌面側に配置され、かつ前胴回り域、後胴回り域及び股下域に跨がって配置された吸収体と、を有する。吸収体と外装体は、接合領域において互いに接合されている。接合領域は、吸収体の前後方向の外端部において吸収体の幅方向全域に亘って設けられた第１接合領域と、第１接合領域よりも股下域側に配置された第２接合領域と、を有する。第２接合領域は、吸収体の幅方向全域に設けられていない。第２接合領域よりも幅方向の外側には、吸収体と外装体が接合されていない非接合領域が設けられている。非接合領域は、前胴回り域の後端部に設けられている。
【先行技術文献】
【特許文献】
【０００３】
【特許文献１】特開２００８−１９４１６１号公報
【発明の概要】
【０００４】
一般的に、着用者の脚によって挟まれる位置は、吸収性物品の前後方向中心よりも前側に偏倚している。そのため、前胴回り域の後端部は、脚によって挟まれ易い。特許文献１に記載された吸収性物品では、前胴回り域の後端部に非接合領域が設けられているため、脚によって挟まれた際に吸収体が幅方向の内側に変形するおそれがある。これにより、吸収体の幅が短くなり、前胴回り域側における吸収面積を確保し難く、漏れが発生するおそれがあった。
【０００５】
そこで、前胴回り域における吸収面積を確保し、漏れを抑制できる吸収性物品が望まれる。
【課題を解決するための手段】
【０００６】
一態様に係る吸収性物品は、前後方向と、前記前後方向に直交する幅方向と、前胴回り域と、後胴回り域と、前記前胴回り域と前記後胴回り域との間に配置された股下域と、前記股下域、前記前胴回り域及び前記後胴回り域に跨がって配置された吸収性本体と、前記吸収性本体の非肌面側において、少なくとも前記前胴回り域及び前記後胴回り域に配置された外装体と、を有する吸収性物品であって、前記後胴回り域の前端部には、前記吸収性本体の外側部と前記外装体が接合されていない後非接合領域が設けられ、前記前胴回り域の後端部には、前記吸収性本体の外側部と前記外装体が接合された前接合領域が設けられている。
【図面の簡単な説明】
【０００７】
【図１】実施形態に係る吸収性物品の平面図である。
【図２】図１に示す吸収性物品のＡ−Ａ断面に沿った断面図である。
【図３】図１に示す吸収性物品のＢ−Ｂ断面に沿った断面図である。
【図４】実施形態に係る吸収性物品の装着状態を模式的に示した図である。
【図５】実施形態に係る吸収性物品の装着状態を模式的に示した図である。
【発明を実施するための形態】
【０００８】
（１）実施形態の概要
本明細書及び添付図面の記載により、少なくとも以下の事項が明らかとなる。
一態様に係る吸収性物品は、前後方向と、前記前後方向に直交する幅方向と、前胴回り域と、後胴回り域と、前記前胴回り域と前記後胴回り域との間に配置された股下域と、前記股下域、前記前胴回り域及び前記後胴回り域に跨がって配置された吸収性本体と、前記吸収性本体の非肌面側において、少なくとも前記前胴回り域及び前記後胴回り域に配置された外装体と、を有する吸収性物品であって、前記後胴回り域の前端部には、前記吸収性本体の外側部と前記外装体が接合されていない後非接合領域が設けられ、前記前胴回り域の後端部には、前記吸収性本体の外側部と前記外装体が接合された前接合領域が設けられている。
【０００９】
前胴回り域の後端部では、吸収性本体の外側部と外装体が接合されている。よって、着用時に着用者の脚等によって前胴回り域の後端部に力がかかった際に、前胴回り域の吸収性本体が幅方向に変形し難い。よって、前胴回り域における吸収性本体の幅方向の長さを確保し、前胴回り域側における吸収面積を確保し易い。また、後胴回り域の前端部では、吸収性本体の外側部と外装体が接合されていない。よって、後胴回り域の前端部では外装体が吸収性本体に対して移動可能であり、脚回り開口部が広がるように変形できる。よって、装着時に脚を挿入する際に、脚回り開口部に脚をスムーズに挿入し易い。また、着用時に着用者が脚を動かした際に脚回り開口部が広がるように変形でき、着用者が脚をスムーズに動かすことができる。
【００１０】
好ましい一態様によれば、前記後非接合領域には、前記幅方向に伸縮可能な第１幅弾性部材が配置されてよい。
【００１１】
本態様によれば、後胴回り域の前端部が、第１幅弾性部材によって幅方向に収縮し、着用者の脚にフィットし易くなる。このとき、後胴回り域の前端部では、脚回り開口部が広がるように変形でき、第１幅弾性部材の収縮によって脚にフィットし過ぎず、装着感の悪化を抑制できる。適度な脚へのフィット性と脚の動き易さを両立できる。
【００１２】
好ましい一態様によれば、前記後非接合領域は、前記後胴回り域の前端縁から後方に向かって延びており、
前記後非接合領域の前記前後方向の長さは、５ｍｍ以上２０ｍｍ以下であってよい。
【００１３】
後胴回り域の前端縁から後方に向かって５ｍｍ以上２０ｍｍ以下の範囲は、脚の挿入時や脚を動かした際に特に脚の動きによって力がかかり易い領域である。当該範囲に非接合領域が設けられているため、着用者は、装着時に脚をスムーズに脚を挿入し易く、着用時に脚をスムーズに動かすことができる。
【００１４】
好ましい一態様によれば、前記吸収性物品は、前胴回り域の外側部と前記後胴回り域の外側部を接合するサイド接合部を更に備えており、
前記後非接合領域の前記前後方向の範囲は、前記サイド接合部の前記股下域側の端縁から後方に向かって前記サイド接合部の前後方向全域に対する３０％までの範囲であってよい。
【００１５】
サイド接合部の前記股下域側の端縁から後方に向かってサイド接合部の前後方向全域に対する３０％までの範囲は、脚の挿入時や脚を動かした際に特に脚の動きによって力がかかり易い領域である。当該範囲に非接合領域が設けられているため、着用者は、装着時に脚をスムーズに脚を挿入し易く、着用時に脚をスムーズに動かすことができる。
【００１６】
好ましい一態様によれば、前記吸収性本体は、吸収コアを有しており、
前記後非接合領域よりも前記幅方向の内側には、前記吸収性本体と前記外装体が接合された第１後接合領域が設けられており、
前記後非接合領域と前記第１後接合領域の境界は、前記吸収コアの外側縁よりも前記幅方向の外側に位置してよい。
【００１７】
装着時に外装体が幅方向の外側に引っ張られると、外装体を介して吸収性本体が幅方向の外側に引っ張られる。このとき、吸収コアの外側縁は、外装体と吸収性本体が接合された第１後接合領域に重なっている。よって、装着時に外装体を幅方向の外側に引っ張った際に、吸収コアの外側縁も幅方向の外側に引っ張ることができる。後胴回り域における吸収コアの幅方向の長さも確保し易くなり、漏れをより抑制できる。
【００１８】
好ましい一態様によれば、前記後非接合領域よりも後側には、前記吸収性本体と前記外装体が接合された第２後接合領域が設けられてよい。
【００１９】
後非接合領域の後側に設けられた第２後接合領域において外装体と吸収性本体を接合することにより、外装体が吸収性本体に対してめくれたり、吸収性本体が幅方向の内側に倒れたりする不具合を抑制できる。外装体及び吸収性本体を着用者の体に適切に当て、漏れをより抑制できる。
【００２０】
好ましい一態様によれば前記後胴回り域の外装体は、前記幅方向に伸縮可能であり、前記第２後接合領域の前記幅方向の長さは、前記後非接合領域の幅方向の長さよりも長くてよい。
【００２１】
外装体と吸収性本体が接合された第２後接合領域の幅方向の長さが、外装体と吸収性本体が接合されていない後非接合領域の幅方向の長さよりも長く、外装体の幅方向における収縮を吸収性本体に伝達し易い。よって、装着時に外装体を幅方向の外側に引っ張った際に吸収性本体も幅方向の外側に引っ張ることができる。後胴回り域においても吸収性本体の幅方向の長さを確保し易く、漏れをより抑制できる。
【００２２】
好ましい一態様によれば、前記後胴回り域の外装体は、前記幅方向に伸縮可能であり、
前記吸収性本体は、前記吸収性本体の外側部に配置され、かつ前記前後方向に伸縮可能な前後弾性部材を有し、
前記前後弾性部材の有効長部分は、前記第２後接合領域と前記厚さ方向において重なってよい。
【００２３】
前後弾性部材は、吸収性本体の外側部に配置され、着用者の脚回りに沿って配置される。前後弾性部材の有効長部分が第２後接合領域と厚さ方向において重なっているため、後胴回り域における外装体の幅方向の収縮と前後弾性部材による前後方向の収縮が連動し易い。前後弾性部材によって収縮する部分が着用者側に立ち上がり易くなり、後胴回り域における排泄物の横漏れを抑制できる。
【００２４】
好ましい一態様によれば、前記前後弾性部材の有効長部分と前記第２後接合領域が重なった領域には、前記幅方向に伸縮可能な第２幅弾性部材が配置されてよい。
【００２５】
前後弾性部材の有効長部分と第２後接合領域に重なった領域に第２幅弾性部材が配置されているため、第２幅弾性部材による幅方向の収縮と前後弾性部材による前後方向の収縮が連動し易い。前後弾性部材によって収縮する部分が着用者側により立ち上がり易くなり、後胴回り域における排泄物の横漏れをより抑制できる。
【００２６】
好ましい一態様によれば、前記前胴回り域の外装体は、前記幅方向に伸縮可能であり、前記吸収性本体は、前記吸収性本体の外側部に配置され、かつ前記前後方向に伸縮可能な前後弾性部材を有し、前記前後弾性部材の有効長部分は、前記前接合領域と厚さ方向において重なってよい。
【００２７】
前後弾性部材の有効長部分が前接合領域に重なっているため、前胴回り域における外装体の幅方向の収縮と前後弾性部材による前後方向の収縮が連動し易い。前後弾性部材によって収縮する部分が着用者側に立ち上がり易くなり、前胴回り域における排泄物の横漏れを抑制できる。
【００２８】
好ましい一態様によれば、前記前後弾性部材の有効長部分と前記前接合領域が重なった領域には、前記幅方向に伸縮可能な第３幅弾性部材が配置されてよい。
【００２９】
本態様によれば、前後弾性部材の有効長部分と前接合領域に重なった領域に第３幅弾性部材が配置されているため、第３幅弾性部材による幅方向の収縮と前後弾性部材による前後方向の収縮が連動し易い。前後弾性部材によって収縮する部分が着用者側により立ち上がり易くなり、排泄物の横漏れをより抑制できる。
【００３０】
好ましい一態様によれば、前記後胴回り域の前端縁における前記吸収性本体の前記幅方向の長さは、前記前胴回り域の後端縁における前記吸収性本体の前記幅方向の長さよりも長くてよい。
【００３１】
一般的に着用者の臀部の膨らみの頂点どうしの間の距離は、鼠径溝どうしの間の距離よりも広い。後胴回り域における前記吸収性本体の幅方向の長さは、前記前胴回り域における前記吸収性本体の幅方向の長さよりも長いため、着用者の臀部の膨らみを適切に覆い易い。臀部を適切に覆うことにより、横漏れを抑制できる。
【００３２】
好ましい一態様によれば、前記吸収性物品は、前記前胴回り域の外側部と前記後胴回り域の外側部を接合するサイド接合部を更に備えており、
前記後胴回り域は、前記サイド接合部よりも前記股下域側に延出した臀部カバーを有してよい。
【００３３】
外装体は、後胴回り域の前端部において吸収性本体の外側部に接合されてなく、着用者の脚の動き等によって後側に引き上がってしまうおそれがある。臀部カバーが設けられていることにより、後胴回り域の前端部が後側に引き上がってしまった場合においても臀部を覆い続け、臀部からの横漏れを抑制できる。
【００３４】
（２）吸収性物品の全体概略構成
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３５】
吸収性物品は、テープ型であってもよいし、パンツ型であってもよい。吸収性物品は、使い捨ておむつであってもよいし、ショーツ型生理用ナプキンであってよい。第１実施形態の吸収性物品は、パンツ型の使い捨ておむつである。図１は、本実施形態に係る使い捨ておむつ１０の模式平面図である。図１に示す模式平面図は、後述するサイド接合部６０を展開した状態において吸収性物品１０を皺が形成されない状態まで伸長させた伸長状態を示している。
【００３６】
吸収性物品１０は、互いに直交する前後方向Ｌ及び幅方向Ｗを有する。前後方向Ｌは、身体前側と身体後側とに延びる方向によって規定される。言い換えると、前後方向Ｌは、展開された吸収性物品１０において前後に延びる方向である。また、吸収性物品１０は、前後方向Ｌと幅方向Ｗの両方の直交する厚さ方向Ｔを有する。
【００３７】
吸収性物品１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域である。股下域Ｓ３は、着用者の股下に位置し、前胴回り域Ｓ１と後胴回り域Ｓ２との間に配置された領域である。
【００３８】
本実施形態では、吸収性物品１０は、外装体１５と、吸収性本体４０と、を有していてよい。外装体１５は、吸収性本体４０の非肌面側において、少なくとも前胴回り域Ｓ１及び後胴回り域Ｓ２に配置されている。外装体１５は、前側外装体２０と、後側外装体３０と、を有してよい。前側外装体２０は、前胴回り域Ｓ１に配置されている外装体である。後側外装体３０は、前側外装体２０と前後方向Ｌに離間し、かつ後胴回り域Ｓ２に配置されている外装体である。
【００３９】
前胴回り域Ｓ１及び後胴回り域Ｓ２では、外装体１５が吸収性本体４０よりも幅方向Ｗの外側に延出している。股下域Ｓ３では、吸収性本体４０が外装体１５よりも幅方向Ｗの外側に延出している。前胴回り域Ｓ１の股下域側の境界は、前側外装体２０が吸収性本体４０よりも幅方向Ｗの外側に延出した領域の股下域側の端縁であり、後胴回り域Ｓ２の股下域側の境界は、後側外装体３０が吸収性本体４０よりも幅方向Ｗの外側に延出した領域の股下域側の端縁である。なお、本実施の形態に係る吸収性物品１０は、前側外装体２０が前胴回り域Ｓ１のみに配置されており、前側外装体２０の前端縁２０Ｆが前胴回り域Ｓ１の前端縁Ｓ１Ｆに対応し、前側外装体２０の後端縁２０Ｒが前胴回り域Ｓ１の後端縁Ｓ１Ｒに対応している。また、後側外装体３０が後胴回り域Ｓ２のみに配置されており、後側外装体３０の前端縁３０Ｆが後胴回り域Ｓ２の前端縁Ｓ２Ｆに対応し、後側外装体３０の後端縁３０Ｒが後胴回り域Ｓ２の後端縁Ｓ２Ｒに対応している。
【００４０】
前側外装体２０及び後側外装体３０は、例えば不織布のようなシートから構成されていてよい。前側外装体２０と後側外装体３０は、それぞれ肌側に位置する外装肌面シート２５と、外装肌面シート２５の非肌面側に位置する外装非肌面シート２６と、を有してよい。
【００４１】
幅方向Ｗにおける前胴回り域Ｓ１の外側部と、幅方向Ｗにおける後胴回り域Ｓ２の外側部と、を接合したサイド接合部６０が設けられていてよい。ここで、図１は、サイド接合部６０における接合を解除し、吸収性物品１０を展開した状態を示している。サイド接合部６０は、前側外装体２０及び後側外装体３０のそれぞれにおいて、前後方向Ｌに沿って延びていてよい。後胴回り域Ｓ２には、サイド接合部６０よりも股下域Ｓ３側に延出した臀部カバー３５が設けられてよい。臀部カバー３５は、後側外装体３０の一部であり、サイド接合部６０よりも股下域Ｓ３側に延出した部分である。
【００４２】
なお、本発明における外側部とは、幅方向Ｗにおける外縁を含む幅方向Ｗに一定の範囲を占める部分であり、外側縁とは、幅方向Ｗにおける外縁である。本発明における内側部とは、幅方向Ｗにおける内縁を含む幅方向Ｗに一定の範囲を占める部分であり、内側縁とは、幅方向Ｗにおける内縁である。また、本発明における前端部及び後端部は、前後方向Ｌにおける縁を含む前後方向Ｌに一定の範囲を占める部分であり、前端縁及び後端縁は、前後方向Ｌにおける縁である。外端部は、前端部及び後端部を含んでおり、外端縁は、前端縁及び後端縁を含んでいる。
【００４３】
図４に示すように、サイド接合部６０が形成された状態で、吸収性物品１０には、着用者の胴が通される胴回り開口部７１と、着用者の脚がそれぞれ挿入される一対の脚回り開口部７２と、が形成される。胴回り開口部７１は、前胴回り域Ｓ１の前端縁Ｓ１Ｆと、後胴回り域Ｓ２の後端縁Ｓ２Ｒとによって規定されていてよい。また、脚回り開口部７２は、吸収性本体４０よりも幅方向Ｗの外側に延出した前側外装体２０の後端縁２０Ｒと、吸収性本体４０よりも幅方向Ｗの外側に延出した後側外装体３０の前端縁３０Ｆと、股下域Ｓ３における吸収性本体４０の外側縁４０Ｅと、によって規定されていてよい。
【００４４】
吸収性本体４０は、前側外装体２０と後側外装体３０の肌面側において、前側外装体２０と後側外装体３０を跨って配置されている。すなわち、吸収性本体４０は、前胴回り域Ｓ１、後胴回り域Ｓ２及び股下域Ｓ３にわたって延びている。吸収性本体４０は、前側外装体２０及び後側外装体３０とは別体として構成されていてよい。
【００４５】
後胴回り域Ｓ２の前端縁Ｓ２Ｆにおける吸収性本体４０の幅方向Ｗの長さＷ４０２は、前胴回り域Ｓ１の後端縁Ｓ１Ｒにおける吸収性本体４０の幅方向Ｗの長さＷ４０１よりも長くてよい。一般的に着用者の臀部の膨らみの頂点どうしの間の距離は、鼠径溝どうしの間の距離よりも広い。後胴回り域Ｓ２の前端縁Ｓ２Ｆにおける吸収性本体４０の幅方向Ｗの長さＷ４０２が、前胴回り域Ｓ１の後端縁Ｓ１Ｒにおける吸収性本体４０の幅方向Ｗの長さＷ４０１よりも長いため、着用者の臀部の膨らみを適切に覆い易い。臀部を適切に覆うことにより、横漏れを抑制できる。また、前胴回り域Ｓ１の後端縁における吸収性本体４０の幅方向Ｗの長さが比較的短いため、前胴回り域側における脚回り開口部の寸法を大きくすることができ、脚を前後に動かし易くなる。
【００４６】
吸収性本体４０は、少なくとも吸収コア５０を含んでいる。吸収コア５０は、例えば粉砕パルプもしくは高吸収性ポリマー（ＳＡＰ）、又はこれらの混合物を含んでいてよい。吸収コア５０は、少なくとも股下域Ｓ３に配置されている。好ましくは、吸収コア５０は、前後方向Ｌにおいて、前胴回り域Ｓ１から後胴回り域Ｓ２にわたって延びていてよい。吸収コア５０は、コアラップによって覆われていてよい。さらに、吸収性本体４０は、吸収コア５０の肌面側に位置する本体肌面シート４１と、吸収コア５０の非肌面側に位置する本体非肌面シート４２と、を有していてよい。本体肌面シート４１は、吸収コア５０の肌面側で吸収コア５０を覆っていてよい。本体非肌面シート４２は、吸収コア５０の非肌面側で吸収コア５０を覆っていてよい。
【００４７】
本体肌面シート４１は、例えば不織布や開孔プラスチックフィルムのような透液性シートによって構成されていてよい。本体肌面シート４１は、１枚のシートから構成されていてもよい。この代わりに、本体肌面シート４１は、複数枚のシートが互いに積層された積層シートから構成されていてもよい。
【００４８】
本体非肌面シート４２は、不透液性のシートを含んでいてよい。本体非肌面シート４２は、１枚のシートから構成されていてもよい。この代わりに、本体非肌面シート４２は、複数枚のシートが互いに積層された積層シートから構成されていてもよい。この場合、複数枚のシートのうちの少なくとも１枚が不透液性を有していてよい。
【００４９】
吸収コア５０は、少なくとも股下域Ｓ３に配置されている。好ましくは、吸収コア５０は、前後方向Ｌにおいて、前胴回り域Ｓ１から後胴回り域Ｓ２にわたって延びていてよい。吸収コア５０は、コアラップによって包まれていてもよい。
【００５０】
吸収性本体４０は、吸収性本体４０の外側部に配置され、かつ前後方向Ｌに伸縮可能な前後弾性部材６５を有してよい。前後弾性部材６５は、幅方向Ｗに間隔を空けて複数設けられていてよい。前後弾性部材６５は、吸収コア５０よりも幅方向Ｗの外側に配置されてよく、脚回り開口部７２に沿って配置されてよい。前後弾性部材６５は、例えば、前後方向Ｌに伸縮可能な糸ゴム、又は前後方向Ｌに伸縮可能な弾性シートによって構成されていてよい。この代わりに、前後弾性部材６５は、例えば伸縮可能なシートにより構成されたサイドシート自体によって構成されていてもよい。本実施の形態の前後弾性部材６５は、糸ゴムによって構成されており、厚さ方向Ｔにおいて本体肌面シート４１と本体非肌面シート４２の間に配置されている。
【００５１】
前後弾性部材６５は、吸収性本体４０の外側部において伸長状態で配置されている。前後弾性部材６５が伸長状態で配置されている領域では吸収性本体４０に対して前後方向Ｌに収縮する力が働き、前後弾性部材６５が伸長状態で配置されていない領域では吸収性本体４０に対して前後方向Ｌに収縮する力が働かない。本明細書中では、この前後方向Ｌに収縮する力が働く領域の前後方向長さを前後弾性部材６５の「有効長」とも呼ぶ。有効長部分は、吸収性物品の自然状態において前後弾性部材６５の収縮によって皺が形成されている部分である。図１において前後弾性部材６５の有効長部分６６の前後方向Ｌの範囲を示す。有効長部分６６の前端縁は、前側外装体２０に厚さ方向に重なっており、有効長部分６６の後端縁は、後側外装体３０に厚さ方向に重なっている。
【００５２】
前側外装体２０及び後側外装体３０は、幅方向Ｗに伸縮可能に構成されてよい。前側外装体２０及び後側外装体３０は、後述する幅弾性部材等の弾性部材によって伸縮可能に構成されてもよいし、伸縮可能な外装肌面シート２５又は外装非肌面シート２６によって伸縮可能に構成されてもよい。
【００５３】
前胴回り域Ｓ１及び後胴回り域Ｓ２には、幅方向Ｗに伸縮可能な幅弾性部材が設けられていてよい。幅弾性部材は、後胴回り域Ｓ２に設けられた第１幅弾性部材６１及び第２幅弾性部材６２と、前胴回り域Ｓ１に設けられた第３幅弾性部材６３と、を有してよい。第１幅弾性部材６１は、後胴回り域Ｓ２において第２幅弾性部材６２よりも後側に配置されている。幅弾性部材は、前後方向Ｌに間隔を空けて複数設けられていてよい。幅弾性部材は、例えば、幅方向Ｗに伸縮可能な糸ゴム、又は幅方向Ｗに伸縮可能な弾性シートによって構成されていてよい。この代わりに、幅弾性部材は、例えば伸縮可能なシートにより構成された吸収性本体４０又は外装体１５自体によって構成されていてもよい。幅弾性部材は、吸収性本体４０に設けられていてもよいし、外装体１５に設けられていてもよい。本実施の形態の第１幅弾性部材６１及び第２幅弾性部材６２は、後側外装体３０に設けられており、第３幅弾性部材６３は、前側外装体２０に設けられている。幅弾性部材は、糸ゴムによって構成されており、厚さ方向Ｔにおいて外装肌面シート２５と外装非肌面シート２６の間に配置されている。
【００５４】
このように構成された外装体１５と吸収性本体４０は、接合領域において接合されており、非接合領域において接合されていない。前胴回り域Ｓ１の後端部には、吸収性本体４０の外側部と外装体１５が接合された前接合領域ＦＡが設けられている。前胴回り域Ｓ１の後端部では、吸収性本体４０の外側部と外装体１５が接合されている。よって、前胴回り域Ｓ１の後端部では外装体１５が吸収性本体４０に対して移動不可能である。
【００５５】
図４及び図５は、実施形態に係る吸収性物品の装着状態を模式的に示した図である。図４は、脚を伸ばした状態、図５は、脚を曲げた状態を模式的に示した図である。実施形態に係る吸収性物品の前胴回り域Ｓ１の後端部では、外装体１５が吸収性本体４０に対して移動し難く、外装体１５と吸収性本体４０の外側縁４０Ｅとがなす角度αが変化し難い。よって、着用時に着用者の脚等によって前胴回り域Ｓ１の後端部に力がかかった際に、前胴回り域Ｓ１の吸収性本体４０が幅方向Ｗに変形し難い。よって、前胴回り域Ｓ１における吸収性本体４０の幅方向Ｗの長さを確保し、前胴回り域Ｓ１側における吸収面積を確保し易い。
【００５６】
前接合領域ＦＡは、前胴回り域Ｓ１の後端縁から前方に延び、かつ吸収性本体４０の外側縁から幅方向Ｗの内側に延びる領域に設けられてよい。前接合領域ＦＡの後端縁は、前胴回り域Ｓ１の後端縁に一致していてもよいし、前胴回り域Ｓ１の後端縁と離間してもよい。前接合領域ＦＡの前端縁は、前胴回り域Ｓ１の前端縁に一致していてもよいし、前胴回り域Ｓ１の前端縁と離間してもよい。前接合領域ＦＡは、吸収性本体４０の一方の外側縁から他方の外側縁まで延びていてよい。前接合領域ＦＡの外側縁は、吸収性本体４０の外側縁に一致していてもよいし、吸収性本体４０の外側縁から３〜５ｍｍ幅方向内側までの範囲に位置してもよい。
【００５７】
後胴回り域Ｓ２の前端部には、吸収性本体４０の外側部と外装体１５が接合されていない後非接合領域ＮＲが設けられている。後胴回り域Ｓ２の前端部では、吸収性本体４０の外側部と外装体１５が接合されていない。よって、後胴回り域Ｓ２の前端部では外装体１５が吸収性本体４０に対して移動可能である。
【００５８】
後胴回り域Ｓ２の前端部では、外装体１５が吸収性本体４０に対して移動可能であり、外装体１５と吸収性本体４０の外側縁４０Ｅとがなす角度βが変化可能である。当該角度βが大きくなるように変形することにより、脚回り開口部を大きくすることができる。加えて、後非接合領域ＮＲにおいて吸収性本体４０が幅方向Ｗの内側に移動することによっても、脚回り開口部７２が大きくなる。よって、脚を挿入する際や脚を動かした際に、脚回り開口部７２を大きくでき、脚をスムーズに挿入したり、脚をスムーズに動かしたりすることができる。
【００５９】
後非接合領域ＮＲは、後側外装体３０の前端縁３０Ｆから後方に延び、かつ吸収性本体４０の外側縁４０Ｅから幅方向Ｗの内側に延びる領域に設けられてよい。後非接合領域ＮＲの前端縁は、後胴回り域Ｓ２の前端縁に一致していてもよいし、後胴回り域Ｓ２の前端縁と離間してもよい。後非接合領域ＮＲの後端縁は、後胴回り域Ｓ２の後端縁よりも前後方向Ｌの内側に位置してよい。後非接合領域ＮＲは、吸収性本体４０の一方の外側縁から他方の外側縁まで延びていてよい。後非接合領域ＮＲの外側縁は、吸収性本体４０の外側縁に一致していてもよいし、吸収性本体４０の外側縁から３〜５ｍｍ幅方向内側までの範囲に位置してもよい。
【００６０】
後非接合領域ＮＲの内側縁は、幅方向Ｗにおいて、前胴回り域Ｓ１の後端縁における吸収性本体４０の外側縁と同じ位置又は内側に位置してよい。後非接合領域ＮＲは、吸収性本体４０と外装体が接合されていないため、脚を動かすことができる領域として機能する。後非接合領域ＮＲの内側縁は、幅方向Ｗにおいて、前胴回り域Ｓ１の後端縁における吸収性本体４０の外側縁と同じ位置又は内側に位置することにより、前胴回り域Ｓ１側の脚回り開口部と後胴回り域Ｓ２側の脚回り開口部とで脚を動かすことができる領域を同じように確保することができる。後胴回り域Ｓ２によって臀部を覆う面積を確保しつつ、脚の動き易さ、入れやすさを確保する領域を前胴回り域Ｓ１及び後胴回り域Ｓ２で同じように確保することができる。
【００６１】
後非接合領域ＮＲには、幅方向Ｗに伸縮可能な第１幅弾性部材６１が配置されてよい。第１幅弾性部材６１は、厚さ方向において後非接合領域ＮＲに重なっていればよい。第１幅弾性部材６１が設けられていることにより、後胴回り域Ｓ２の前端部が幅方向Ｗに収縮し、着用者の脚にフィットし易くなる。このとき、後胴回り域Ｓ２の前端部では、脚回り開口部７２が広がるように変形できる。よって、第１幅弾性部材６１の収縮によって脚にフィットし過ぎることを抑制でき、装着感の悪化を抑制できる。適度な脚へのフィット性と脚の動き易さを両立できる。また、脚へのフィット性を確保するために、第１幅弾性部材６１は、後非接合領域ＮＲを超えて幅方向Ｗの外側に延びていてよい。
【００６２】
後非接合領域ＮＲの前後方向Ｌの長さは、３ｍｍ以上であってよい。後非接合領域ＮＲの前後方向Ｌの長さが３ｍｍ以上であることにより、脚の動き易さ及び脚の入れ易さを向上できる。より好ましくは、後非接合領域ＮＲの前後方向Ｌの長さは、５ｍｍ以上２０ｍｍ以下であってよい。後胴回り域Ｓ２の前端縁から後方に向かって５ｍｍ以上２０ｍｍ以下の範囲は、脚の挿入時や脚を動かした際に特に脚の動きによる力がよりかかり易い領域である。後非接合領域ＮＲの前後方向Ｌの長さが３ｍｍ以上であることにより、着用者は、装着時に脚をよりスムーズに脚を挿入し易く、着用時に脚をよりスムーズに動かすことができる。さらに好適には、後非接合領域ＮＲの前後方向Ｌの長さは、１０ｍｍ以上であってよい。
【００６３】
後非接合領域ＮＲの前後方向Ｌの範囲は、サイド接合部６０の股下域側の端縁から後方に向かってサイド接合部６０の前後方向Ｌ全域に対する３０％までの範囲であってよい。サイド接合部６０の股下域側の端縁から後方に向かってサイド接合部６０の前後方向Ｌ全域に対する３０％までの範囲は、脚の挿入時や脚を動かした際に特に脚の動きによって力がかかり易い領域である。よって、着用者は、装着時に脚をスムーズに脚を挿入し易く、着用時に脚をスムーズに動かすことができる。
【００６４】
後胴回り域Ｓ２には、サイド接合部６０よりも股下域Ｓ３側に延出した臀部カバー３５が設けられてよい。外装体１５は、後胴回り域Ｓ２の前端部において吸収性本体４０の外側部に接合されてなく、着用者の脚の動き等によって後側に引き上がってしまうおそれがある。臀部カバー３５が設けられていることにより、後胴回り域Ｓ２の前端部が後側に引き上がってしまった場合においても臀部を覆い続け、臀部からの横漏れを抑制できる。
【００６５】
前後弾性部材６５の有効長部分６６は、前接合領域ＦＡに厚さ方向において重なってよい。前後弾性部材６５は、吸収性本体４０の外側部に配置され、着用者の脚回りに沿って配置される。前後弾性部材６５の有効長部分６６が前接合領域ＦＡに重なっているため、外装体１５における幅方向Ｗの収縮と前後弾性部材６５による前後方向Ｌの収縮が連動し易い。前後弾性部材６５によって収縮する部分が着用者側に立ち上がり易くなり、前胴回り域側における排泄物の横漏れを抑制できる。
【００６６】
前後弾性部材６５の有効長部分６６と前接合領域ＦＡが重なった領域には、第３幅弾性部材６３が配置されてよい。前後弾性部材６５の有効長部分６６と前接合領域ＦＡに重なった領域に第３幅弾性部材が配置されているため、第３幅弾性部材による幅方向Ｗの収縮と前後弾性部材６５による前後方向Ｌの収縮が連動し易い。前後弾性部材６５によって収縮する部分が着用者側により立ち上がり易くなり、前胴回り域側における排泄物の横漏れをより抑制できる。
【００６７】
後非接合領域ＮＲよりも幅方向Ｗの内側には、吸収性本体４０と外装体１５が接合された第１後接合領域ＲＡ１が設けられてよい。後非接合領域ＮＲと第１後接合領域ＲＡ１の境界は、吸収コア５０の外側縁よりも幅方向Ｗの外側に位置してよい。第１後接合領域ＲＡ１は、吸収コア５０の幅方向Ｗの全域に設けられてよい。装着時に外装体１５が幅方向Ｗの外側に引っ張られると、外装体１５を介して吸収性本体４０が幅方向Ｗの外側に引っ張られる。このとき、吸収コア５０の外側縁は、外装体１５と吸収性本体４０が接合された第１後接合領域ＲＡ１に重なっている。よって、装着時に外装体１５を幅方向Ｗの外側に引っ張った際に、吸収コア５０の外側縁も幅方向Ｗの外側に引っ張ることができる後胴回り域においても吸収性本体の幅方向の長さを確保し易く、漏れをより抑制できる。
【００６８】
後非接合領域ＮＲよりも後側には、吸収性本体４０と外装体１５が接合された第２後接合領域ＲＡ２が設けられてよい。第２後接合領域ＲＡ２は、後非接合領域ＮＲの前端縁から後方に延び、かつ吸収性本体４０の外側縁から幅方向Ｗの内側に延びる領域に設けられている。後非接合領域ＮＲの後側に設けられた第２後接合領域ＲＡ２において外装体１５と吸収性本体４０が接合されており、外装体１５が吸収性本体４０に対してめくれたり、吸収性本体４０が幅方向Ｗの内側に倒れたりする不具合を抑制し、外装体１５及び吸収性本体４０を着用者の体に適切に当て易い。第２後接合領域ＲＡ２の外側縁は、吸収性本体４０の外側縁に一致していてもよいし、吸収性本体４０の外側縁から３〜５ｍｍ幅方向内側までの範囲に位置してもよい。
【００６９】
第２後接合領域ＲＡ２の幅方向Ｗの長さは、後非接合領域ＮＲの幅方向Ｗの長さよりも長くてよい。第２後接合領域ＲＡ２の内側縁は、後非接合領域ＮＲの内側縁よりも幅方向Ｗの内側に延びてよい。外装体１５と吸収性本体４０が接合された第２後接合領域ＲＡ２の幅方向Ｗの長さが、外装体１５と吸収性本体４０が接合されていない後非接合領域ＮＲの幅方向Ｗの長さよりも長く、外装体１５の幅方向Ｗにおける収縮を吸収性本体４０に伝達し易い。よって、装着時に外装体１５を幅方向Ｗの外側に引っ張った際に吸収性本体４０も幅方向Ｗの外側に引っ張ることができ、吸収性本体４０の幅方向Ｗの長さを確保できる。
【００７０】
前後弾性部材６５の有効長部分６６は、第２後接合領域ＲＡ２に重なってもよい。前後弾性部材６５は、吸収性本体４０の外側部に配置され、着用者の脚回りに沿って配置される。前後弾性部材６５の有効長部分６６が第２後接合領域ＲＡ２に重なっているため、外装体１５における幅方向Ｗの収縮と前後弾性部材６５による前後方向Ｌの収縮が連動し易い。前後弾性部材６５によって収縮する部分が着用者側に立ち上がり易くなり、後胴回り域側における漏れをより抑制できる。
【００７１】
前後弾性部材６５の有効長部分６６と第２後接合領域ＲＡ２が重なった領域には、第２幅弾性部材が配置されてよい。前後弾性部材６５の有効長部分６６と第２後接合領域ＲＡ２に重なった領域に第２幅弾性部材が配置されているため、第２幅弾性部材による幅方向Ｗの収縮と前後弾性部材６５による前後方向Ｌの収縮が連動し易い。前後弾性部材６５によって収縮する部分が着用者側により立ち上がり易くなり、後胴回り域側における排泄物の横漏れをより抑制できる。
【００７２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００７３】
変形例に係る吸収性物品は、外装体が、前側外装体２０及び後側外装体３０が一体化され、かつ前胴回り域Ｓ１から後胴回り域Ｓ２に亘って設けられていてもよい。変形例に係る外装体は、前胴回り域Ｓ１及び前胴回り域Ｓ１において吸収性本体４０よりも幅方向Ｗの外側に延出し、股下域において吸収性本体４０よりも幅方向Ｗの内側に位置してよい。このように変形例に係る吸収性物品においても、前胴回り域Ｓ１の後端部において吸収性本体４０と外装体がなす角度αが変化し難くいため、前胴回り域Ｓ１の吸収面積を確保し、漏れを抑制できる。また、後胴回り域の前端部において吸収性本体４０と外装体がなす角度βが変化し易いいため、後胴回り域側で脚回り開口を大きくして、脚をスムーズに動かすことができる。
【産業上の利用可能性】
【００７４】
前胴回り域における吸収面積を確保し、漏れを抑制できる吸収性物品を提供することができる。
【符号の説明】
【００７５】
１０    吸収性物品
１５    外装体
２０    前側外装体
３０    後側外装体
４０    吸収性本体
５０    吸収コア
６０    サイド接合部
６１    第１幅弾性部材
６２    第２幅弾性部材
６３    第３幅弾性部材
６５    前後弾性部材
ＮＲ    後非接合領域
ＲＡ１    第１後接合領域
ＲＡ２    第２後接合領域
ＦＡ      前接合領域
Ｓ１    前胴回り域
Ｓ２    後胴回り域
Ｓ３    股下域
Ｌ      前後方向
Ｗ      幅方向
【図１】
2019118472.tif 000003
【図２】
2019118472.tif 000004
【図３】
2019118472.tif 000005
【図４】
2019118472.tif 000006
【図５】
2019118472.tif 000007